(57)【要約】【課題】この発明は、廃棄物である巻き取り芯を、有効利用して美観に優れた花瓶や装飾用置物を作ることを目的とした。【解決手段】この発明は、紙製の巻き取り芯を、所定の長さに切断して筒体とし、前記筒体の胴部をガスバーナーで適宜焦がし、この焦げて炭化した部分を除去して、これに塗装を施したことを特徴とする装飾用置物によりその目的を達成した。【選択図】    図１
2004267696.tif 000002
【特許請求の範囲】
【請求項１】
紙製の巻き取り芯を、所定の長さに切断して筒体とし、前記筒体の胴部をガスバーナーで適宜焦がし、この焦げて炭化した部分を除去して、これに塗装を施したことを特徴とする装飾用置物。
【請求項２】
紙製の巻き取り芯を、所定の長さに切断して筒体とし、前記筒体の胴部をガスバーナーで適宜焦がし、この焦げて炭化した部分を除去して、これに塗装を施すと共に、筒体内に嵌合した筒型の水入れを設けたことを特徴とする花瓶。
【請求項３】
紙製の巻き取り芯を、所定の長さに切断して筒体とし、前記筒体の胴部をガスバーナーで適宜焦がし、この焦げて炭化した部分を除去して、これに塗装を施したことを特徴とする装飾用置物の製造法。
【請求項４】
紙製の巻き取り芯を、所定の長さに切断して筒体とし、前記筒体の胴部をガスバーナーで適宜焦がし、この焦げて炭化した部分を除去して、これに塗装を施すと共に、筒体内に嵌合した筒型の水入れを設けたことを特徴とする花瓶の製造法。
【発明の詳細な説明】
【０００１】
【発明の属する技術分野】
この発明は、布又はシート状のもの等、長尺物を巻き取る紙製の芯を使用し、これを加工した花瓶、室内装飾用の置物又は床の間の装飾用置物に関する。
【０００２】
【従来の技術】
従来、茶筒などを利用した花瓶などが提案されている（特許文献１参照）。また、板紙又はダンボールを使用した折り畳み可能は花器の提案がある（特許文献２参照）。
【０００３】
【特許文献１】
実公昭９−６０４５号（１頁）
【特許文献２】
実公昭４０−５０２２号（１頁）
【０００４】
【発明により解決しようとする課題】
従来、長尺の布又はシート状のもの等を巻き取る芯は、巻き取ったものが使用又は販売された後は、不要のものとして、廃棄されていた。
【０００５】
また、廃棄物としてこれを焼却するが、薄いテープ状の紙を斜めにして幾層にも固く巻いてあるので、容易に燃えないものである。
【０００６】
この発明は、焼却処分し難い廃棄物を利用して、鑑賞に堪えうる美観を有する花瓶、室内用装飾置物又は床の間の装飾用置物とするものであり、天然の丸木を使用したものと見劣りしない外観を有するものである。
【０００７】
また、この花瓶等は、不要となれば、家庭のゴミとして廃棄でき、焼却場で焼却しても有害ガスの発生がない。さらに、ゴミ捨て場など野外に放置すれば自然に分解されて環境を汚すことがない。
【０００８】
【課題を解決するための手段】
この発明は、巻き取り芯の廃物を利用して、簡便な加工作業により、美観を備えた有用な花瓶、室内の装飾置物又は床の間の装飾用置物を提供する。従来廃棄されていたものを活用するので、環境の負荷を減少するゴミ対策の一助にもなるものである。
【０００９】
即ち、紙製の巻き取り芯を、所定の長さに切断して筒体とし、前記筒体の胴部をガスバーナーで適宜焦がし、この焦げて炭化した部分を除去して、これに塗装を施したことを特徴とする装飾用置物であり、紙製の巻き取り芯を、所定の長さに切断して筒体とし、前記筒体の胴部をガスバーナーで適宜焦がし、この焦げて炭化した部分を除去して、これに塗装を施すと共に、筒体内に嵌合した筒型の水入れを設けたことを特徴とする花瓶である。また、紙製の巻き取り芯を、所定の長さに切断して筒体とし、前記筒体の胴部をガスバーナーで適宜焦がし、この焦げて炭化した部分を除去して、これに塗装を施したことを特徴とする装飾用置物の製造法であり、紙製の巻き取り芯を、所定の長さに切断して筒体とし、前記筒体の胴部をガスバーナーで適宜焦がし、この焦げて炭化した部分を除去して、これに塗装を施すと共に、筒体内に嵌合した筒型の水入れを設けたことを特徴とする花瓶の製造法である。
【００１０】
【発明の実施の形態】
この発明で使用する材料の巻き取り芯は、新聞紙用巻き取り紙、ロール紙、包装紙、反物、服地、レース、紗、合成樹脂シート等をロール状に巻き取る場合に使用する中空の円筒状のものである。
【００１１】
この巻き取り芯は、紙テープを幾層にも固く糊付けして巻いて、筒状に形成されたものであるから、花瓶や置物の材料としての強度は充分である。
【００１２】
また、巻き取り芯は、紙テープを幾層にも固く糊付けして巻いて、筒状に形成されたものであるから、筒体の胴部をガスバーナーで適宜焦がすと、強く焦がした箇所は、紙のテープ層が数多く炭化され、弱く焦がした箇所は炭化される紙テープ層の数が少ない状態になる。
【００１３】
この実施例で使用したのは、筒体であるが、巻き芯と同じ構造の平板状のものであれば、筒体と同様に加工して花台等に使用することもできる。
【００１４】
そこで、この炭化部分を除去すると筒体表面に凹凸を形成し、これが筒体表面の不規則な模様ができた状態となる。これが天然の樹木の丸木の表面に酷似したものが得られる。
【００１５】
この得られる模様は、使用する筒体の性状により左右される部分が多く、偶然性によるところが多く、その偶然性により模様が形成される変化を楽しむこともできる。
【００１６】
また、巻き取り芯は、直径の大きさ、長さの異なるもの等、様々な態様のものがあるが、筒の直径の細いものであれば、一輪挿しの花瓶になる。
【００１７】
また、筒体の上部の対向する位置に、取っ手を取付けても良く、また取付けた取っ手を、壁面の止め釘に掛ければ、壁面に飾れる花瓶または装飾品となる。
【００１８】
適宜の太さの巻き取り芯を選択し、好みの寸法（長さ）に鋸で切断し、筒体とする。次に、焦げ目を付けるガスバーナーは、食品加工などに使用されるものを使用した。
【００１９】
筒体を回転させながら、ガスバーナで筒体の胴部表面に焦げ目をつける。筒体表面の模様の凹凸を大きくしたいときは、胴部の表面をやや強めに焦げ目をつけて炭化させて、削り取る部分を深くすればよい。
【００２０】
塗装した場合に、滑らかな凹凸を得るために、木工に使用する目止め用の砥の粉を用いた。砥の粉は水に溶いて、布又は刷毛で筒体全体に塗布する。
【００２１】
砥の粉が乾いた後、布またはサンドペーパーで、余分な砥の粉を除去し、滑らかな且つ、木材の丸木を加工したような自然な感じのする表面の凹凸ができる。
【００２２】
前記の処理を終わった後、木工用の透明ラッカーを塗る。２〜３回重ね塗りをすれば、こげ色をベースにした色合いで、表面に光沢が出て高級感が得られ、美観を向上させることができる。
【００２３】
ラッカーの乾燥は、天日乾燥又は乾燥庫での強制乾燥でも良い。
【００２４】
筒体の表面全体（筒体内側及び切り口）にラッカーなど耐水性の塗装を施せば、水を弾くので、紙製の花瓶であっても、半永久的な寿命があるものができる。
【００２５】
水入れ容器は、筒体内に嵌合する大きさにすれば、落下する虞はない。
水入れ容器の材質は、金属製、合成樹脂製又はガラスでも良い。
【００２６】
また、筒体底部に、水入れ容器の落下を防止するリング状の防止帯を又は突起を設けても良い。
【００２７】
この実施例では、透明ラッカーを使用したが、、木工に使用できるペンキ、その他の塗料を使用して好みの色を塗ることができる。防水効果を有する塗料が望ましいが、前記の塗料であっても十分防水の効果を得ることができる。
【００２８】
また、筒体は、自由に加工して例えば、孔を開けたり、斜めに切断したり、切欠部を設けたり、種々な造形にして変化に富んだ形状の花瓶又は置物にすることが出来るのは、勿論である。
【００２９】
さらに、漆、アルミ粉、金粉、銀粉、アルミ箔、銀箔、金属箔など漆工芸に使用される材料を使用すれば、漆器のような光沢を有する塗装ができる。
【００３０】
この加工した筒体は、表面に不規則な凹凸が形成されて、天然樹木の丸木から作られた様な形状が得られる。また、ガスバーナーによる表面に焦げ目を付ける作業は、手作業により行う場合、その使用する筒体の性質、紙テープ素材、加工の違い等により、形成される炭化部分は偶然により左右される要素があり、焦げ目の濃淡により得られる模様も一様ではない。
【００３１】
その都度変化のある模様のものが得られる面白さもあるり、上記の加工により高級感のある鑑賞に堪えられる美観を有するものが得られる。
【００３２】
筒体には、焦げ目の濃淡により、自然な斑模様が形成され、天然の丸木材から製作されたような外観をそなえた美観にすぐれた装飾用置物または花瓶、柱、垂木の装飾用の建築用内装材、家具への使用など多方面の用途のものが得られる。
【００３３】
【実施例１】
業務用の合成樹脂フィルムの巻き取り芯を使用した（北海紙管（株）製、）。
直径９３ｍｍ、内径７３ｍｍ、長さ１６０ｍｍ、の紙製の円筒である。
この長さ１６０ｍｍの筒体２に、電動式の木工用丸鋸で切断する。また、手挽きのノコギリで切断してもよい。
【００３４】
さらに、視覚上の変化を与える為、花瓶１の正面となる位置の、筒体２の上端部及び下端部の一部を欠切したものとした。
【００３５】
次いで、筒体２の切断箇所をヤスリ又はサンドペーパーで滑らかに及び面取りし、切断面を平滑になるように前処理をする。
【００３６】
筒体２の胴部を、食品の加工などに使用するガスバーナー（コールマルジャパン（株）製、キャンピングガスバーナー）で、適宜胴部の表面を焦がす。筒体２を据え置いた状態にして、筒体２の胴部の表面を焦がす。筒体２を回転させながら焦がす作業をしてもよい。
【００３７】
このガスバーナーは、約５００〜６００℃の温度になる。
【００３８】
次に、サンドペーパー等で筒体２の胴部表面の焦げた箇所をこすり、焦げて炭化した部分を除去する。
【００３９】
水で溶いたやや緩めの砥の粉を刷毛で筒体２の全体に塗布して、これを乾燥させる。充分乾燥した後、布又はサンドペーパーなどで余分な砥の粉を除去する。
【００４０】
筒体２の全面に（筒体２の内側を含む）透明ラッカーの塗料を３回塗り重ねて完成させる。
【００４１】
筒体２内部に、別途用意した筒型の水入れ４を嵌合して、生け花用の花瓶１が得られた。水入れ４は合成樹脂製とした。
【００４２】
筒体２の筒体内に、水入れ４の落下防止リング５を、筒体２の下部に嵌挿し、固定する。
【００４３】
筒体２の上部に取手孔３を設けてあるので、この取手孔３に取手を取り付けてもよい。取手を取り付けない場合は、装飾用の孔となる。
【００４４】
筒体２の胴部表面の焦げた色と凹凸とが相俟って、天然の丸木材を使用した様な自然な凹凸及び色合いを有する立体的な模様のある花瓶１ができる。
【００４５】
防水効果のあるラッカーで塗装したので、陶器、ガラス、木材製の通常の花瓶と同様に耐水性があるので半永久的に使用できる。
【００４６】
【実施例２】
実施例１の加工方法により、仕上げ塗装を施し、筒体２の内部に水入れ４を設けない場合には、これを其の侭装飾品として、床の間などに置く装飾用置物が得られる。
【００４７】
【実施例３】
業務用の合成樹脂フィルムの巻き取り芯を使用した（北海紙管（株）製、）。
直径９３ｍｍ、内径７３ｍｍ、長さ１６０ｍｍ、の紙製の円筒である。
この長さ１６０ｍｍの筒体に、電動式の木工用丸鋸で切断する。また、手挽きのノコギリで切断してもよい。
【００４８】
この筒体を縦に二分割して、Ｕ字型の装飾用置物の素材とする。Ｕ字型の底部に水平に置ける足を付ける。足は底部に長手方向に二条の平行の棒状のものを安定して置ける状態に取り付ける。
【００４９】
実施例１記載と同様に、前処理し、ガスバーナーによる焦がし加工し、塗装を施して、Ｕ字型の装飾用置物が得られた。
【００５０】
【発明の効果】
従来、不要物として廃棄されていた巻き取り芯を有効に活用して、簡単に且つ安価に、美観に優れた花瓶又は装飾用置物が得られ、廃棄物を減らす結果となるので、環境負荷を軽減することができる効果がある。
【００５１】
筒体には、焦げ目の濃淡により、自然な斑模様が形成され、天然の丸木材から製作されたような外観をそなえた美観にすぐれた装飾用置物または花瓶、柱、垂木の装飾用の建築用内装材、家具への使用など多方面の用途のものが得られる。
【図面の簡単な説明】
【図１】この発明の花瓶の斜視図。
【図２】同じく、図１中、Ａ−Ａの断面図。
【符号の説明】
１  花瓶
２  筒体
３  取手孔
４  水入れ
５  落下止リング
【図１】
2004267696.tif 000003
【図２】
2004267696.tif 000004